(57)【要約】      （修正有）【課題】組立・分解が容易な組立て式事務キャビネットを提供する。【解決手段】底板１、後板２、両側板３、頂板４から構成し、上記の底板１、後板２、両側板３、頂板４の縁部にはそれぞれ接合用の嵌め込みスロット、留めスロット、留め片、留め縁等を設ける。それらを相互に嵌め合わすことにより、簡単に組み立て、分解することがき、従来の溶接固定の問題を改善でき、運送、及び保管に便利な機能を持った組み立て式事務キャビネットを実現する。【選択図】図１
2008295956.tif 000002
【特許請求の範囲】
【請求項１】
底板、後板、両側板及び頂板を含み、
該底板は前後端をそれぞれ折り曲げて嵌め込みスロットとする板体で、後端の嵌め込みスロットの上縁に固定スロットを設けるものを指し、
該後板は２枚以上の板体から構成され、その板体はその頂板と両側板に対応し接合する端を折り曲げて留めスロットとし、そして板体は底板に対応し接合する端を折り曲げて結合縁とし、且つ結合縁に固定片を設け、
該両側板は板体の四角の端を同一方向へそれぞれ伸ばして留め片を設け、且つ後板に結合する端を折り曲げて留め縁とし、
該頂板は前後端をそれぞれを折り曲げて嵌め込みスロットとする板体で、且つ後板に接合する端を折り曲げて留め縁とするものを指すことを特徴とする組立て式事務キャビネット。
【請求項２】
当該底板、頂板の左右両側の縁をそれぞれ折り曲げて接合部とし、また接合孔を設け、その両側板の端面をそれぞれ折り曲げ、上下接合部とし、且つ接合孔を設け、また固定部品を利用して互いに接合固定することを特徴とする請求項１記載の組立て式事務キャビネット。
【請求項３】
当該両側板の留め片が、対応する底板、頂板の嵌め込みスロット内に挿入され、また固定部品を利用して、留め片と嵌め込みスロットを折り曲げた内板縁を固定し、結合をさらに堅固なものにすることを特徴とする請求項１記載の組立て式事務キャビネット。
【請求項４】
当該後板の留めスロットと頂板、側板の留め縁が互いに嵌め合わせ、また固定部品を利用して結合をさらに堅固にできることを特徴とする請求項１記載の組立て式事務キャビネット。
【請求項５】
当該後板に突出する固定片を設け、底板の固定スロット内に挿入して固定することができることを特徴とする請求項１記載の組立て式事務キャビネット。
【請求項６】
当該後板が２枚以上の板体から構成され、両板体が接合する端はそれぞれ折れ曲がり、対応する留め縁、留めスロットとなり、互いを嵌め合わせを提供することができ、また固定部品を利用して結合をさらに堅固にさせることを特徴とする請求項１記載の組立て式事務キャビネット。
【請求項７】
当該頂板の前端の嵌め込みスロットの下縁にヒンジ孔を設け、また底板前端の嵌め込みスロット上縁にヒンジ孔を設け、このヒンジ孔はドアパネルのヒンジ軸に頂板と底板との間のヒンジ接続を提供することができることを特徴とする請求項１記載の組立て式事務キャビネット。
【請求項８】
当該両側板の内側に隔層セットを設置し、この隔層セットには多数の調整孔を設け、積載隔板の分層架設を提供することができ、物品の積載に用いることを特徴とする請求項１記載の組立て式事務キャビネット。
【請求項９】
当該底板の前端上縁がガイドスライド装置を固定することができ、その頂板前端の上縁の相対する位置にドアパネルを置くことができるガイドスロットを形成し、そのドアパネルを前後ずらす方式で、そのガイドスロット装置上に嵌め込むことができることを特徴とする請求項１記載の組立て式事務キャビネット。
【発明の詳細な説明】
【技術分野】
【０００１】
本発明は組立て式事務キャビネットに関するもので、特に事務キャビネットの板体間を相互に嵌め合わせて固定し、キャビネットを簡単且つスピーディに組立、及び分解し、運送に便利で、また保管スペースの節約を達成する事務キャビネットの構造を指す。
【背景技術】
【０００２】
現在、市場によく見かける事務キャビネットの製作は、通常工場内で各部分の板体を溶接、或いは複雑なネジ止め方式で固定し、固定体積の事務キャビネットが製作される。
【０００３】
図９を参照のこと。当該キャビネット体７は金属片が適当な折り曲げを経て、端部応力を有する枠体パネル７１になった後、さらに各枠体パネル７１を既設の端面よって互いに組み合わせ、また溶接固定により収納空間を持つ事務キャビネットのキャビネット体７となる者である。
【発明の開示】
【発明が解決しようとする課題】
【０００４】
本発明者は従来の事務キャビネットの枠体パネルが溶接を用いて製作される時、溶接の位置により、キャビネット体を適当にひっくり返して移動する必要があり、溶接作業全体に非常に力と時間を費やし、極めて不便であり、またキャビネット体の溶接完了後は、任意に分解組立てすることができず、そしてキャビネット体の体積が巨大且つ非常に重く、運送上の困難が増し、またキャビネット体を保管するやや大きなスペースが必要となるため、従来の技術の問題を実際に解決する必要があることに気づいた。
【０００５】
本発明者はこれに鑑み、の組合せ式事務キャビネットの構造を考えた。それは、一つの底板、後板、二側板、一つの頂板を含むものから構成される。その中、その底板は、前後端にそれぞれ嵌め込みスロットを設け、且つ左右両側の縁をそれぞれ折り曲げて接合部の板体とし、また板体上縁に固定スロットを設けているものを指す。その後板は、２枚以上の板体を連結して構成されるものを指し、その板体が連結された後、頂板と二側板との接合場所にはそれぞれ折り曲げた開口の留めスロットを設け、またその底板との接合場所に結合縁を設け、且つ結合縁上に固定片を設けるものである。その二側板は、板体の四角の端を同一方向へそれぞれ伸ばして留め片を設け、またその後板との接合場所の端に折れ曲がった留め縁を設ける。その頂板は、前後端のそれぞれに嵌め込みスロットを設け、且つ左右両側の縁がそれぞれ折れ曲がって接合部の板体となり、またその後板との接合場所の端に折れ曲がった留め縁を設けるものを指す。上記の板体を相互に嵌め合わすことで、事務キャビネットを簡単に組み立て、分解することができ、従来の溶接固定の問題を改善し、事務キャビネットの運送、及び保管に便利な機能を持つものである。
【課題を解決するための手段】
【０００６】
請求項１の発明は、底板、後板、両側板及び頂板を含み、
該底板は前後端をそれぞれ折り曲げて嵌め込みスロットとする板体で、後端の嵌め込みスロットの上縁に固定スロットを設けるものを指し、
該後板は２枚以上の板体から構成され、その板体はその頂板と両側板に対応し接合する端を折り曲げて留めスロットとし、そして板体は底板に対応し接合する端を折り曲げて結合縁とし、且つ結合縁に固定片を設け、
該両側板は板体の四角の端を同一方向へそれぞれ伸ばして留め片を設け、且つ後板に結合する端を折り曲げて留め縁とし、
該頂板は前後端をそれぞれを折り曲げて嵌め込みスロットとする板体で、且つ後板に接合する端を折り曲げて留め縁とするものを指すことを特徴とする組立て式事務キャビネットとしている。
請求項２の発明は、当該底板、頂板の左右両側の縁をそれぞれ折り曲げて接合部とし、また接合孔を設け、その両側板の端面をそれぞれ折り曲げ、上下接合部とし、且つ接合孔を設け、また固定部品を利用して互いに接合固定することを特徴とする請求項１記載の組立て式事務キャビネットとしている。
請求項３の発明は、当該両側板の留め片が、対応する底板、頂板の嵌め込みスロット内に挿入され、また固定部品を利用して、留め片と嵌め込みスロットを折り曲げた内板縁を固定し、結合をさらに堅固なものにすることを特徴とする請求項１記載の組立て式事務キャビネットとしている。
請求項４の発明は、当該後板の留めスロットと頂板、側板の留め縁が互いに嵌め合わせ、また固定部品を利用して結合をさらに堅固にできることを特徴とする請求項１記載の組立て式事務キャビネットとしている。
請求項５の発明は、当該後板に突出する固定片を設け、底板の固定スロット内に挿入して固定することができることを特徴とする請求項１記載の組立て式事務キャビネットとしている。
請求項６の発明は、当該後板が２枚以上の板体から構成され、両板体が接合する端はそれぞれ折れ曲がり、対応する留め縁、留めスロットとなり、互いを嵌め合わせを提供することができ、また固定部品を利用して結合をさらに堅固にさせることを特徴とする請求項１記載の組立て式事務キャビネットとしている。
請求項７の発明は、当該頂板の前端の嵌め込みスロットの下縁にヒンジ孔を設け、また底板前端の嵌め込みスロット上縁にヒンジ孔を設け、このヒンジ孔はドアパネルのヒンジ軸に頂板と底板との間のヒンジ接続を提供することができることを特徴とする請求項１記載の組立て式事務キャビネットとしている。
請求項８の発明は、当該両側板の内側に隔層セットを設置し、この隔層セットには多数の調整孔を設け、積載隔板の分層架設を提供することができ、物品の積載に用いることを特徴とする請求項１記載の組立て式事務キャビネットとしている。
請求項９の発明は、当該底板の前端上縁がガイドスライド装置を固定することができ、その頂板前端の上縁の相対する位置にドアパネルを置くことができるガイドスロットを形成し、そのドアパネルを前後ずらす方式で、そのガイドスロット装置上に嵌め込むことができることを特徴とする請求項１記載の組立て式事務キャビネットとしている。
【発明の効果】
【０００７】
以上の説明からわかるように、本発明は以前の技術と比較すると、確かに以下の効果を達成する。
１．本発明の組立て式事務キャビネットの構造は、各板体の接合場所に相対する嵌め合わせ方式を採用して、キャビネット体を構成する。そして、その後板は２枚以上の板体から構成することができ、事務キャビネットを簡単に分解して、相互に重なった板体とすることができ、板体分解後の体積を減少させられる。その主要な目的は簡単でスピーディに組立て或いは分解できる組立て式キャビネットとし、事務キャビネットの運送及び保管を便利にすることである。
２．本発明の組立て式事務キャビネットの構造のもう一つの主要目的は、従来の板体間の溶接方式に代わることで、溶接作業に費やす時間と力を改善し、且つキャビネット体の体積が巨大で、任意に分解や組み立てができない問題を改善して、効果的なコスト節約、生産効果を高めることができ、生産コスト効果に適合させることである。
【発明を実施するための最良の形態】
【０００８】
図１に示すのは本発明の組立て式事務キャビネットの構造に関するもので、それは底板１、後板２、両側板３、頂板４を含むものから構成される。
【０００９】
その底板１は、前後端のそれぞれ内向きに折れ曲がった嵌め込みスロット１１を有する板体を指し、その前端の嵌め込みスロット１１上縁の両側端部にそれぞれヒンジ孔１２を有する。その後端の嵌め込みスロット１１上縁の適当な場所に固定スロット１３を設け、且つその板体の左右両側の縁をそれぞれ折り曲げて接合部１４とし、また多数の接合孔１５を設ける者である。
【００１０】
その後板２は、２枚以上の板体を連結して構成されるものを指し、その二板体が接合する場所の端は、折り曲げて対応する留め縁２１と留めスロット２２を有する。図４を参考のこと。二板体はその頂板４と両側板３の接合場所の端に対応し、開口が折れ曲がり留めスロット２２となる。そして板体はその底板１の接合場所の端に対応し、折れ曲がって結合縁２３となり、且つ結合縁２３上に突出する固定片２４を設けて、その底板１の固定スロット１３内に挿入し固定できるものである。
【００１１】
その二側板３は、板体の端面にそれぞれ折り曲げて応力を有し、且つ耐変形収束させた上接合部３１、下接合部３２とする。そして頂板４と底板１との接合部４４、１４と互いに接合させ、且つ上接合部３１、下接合部３２上に多数の接合孔３１１、３２１を設ける。そして板体はその後板２の接合場所の端に対応し、収束させ折り曲げた留め縁３３とし、その板体の四角の端を別途同一方向へそれぞれ水平に伸ばして留め片３４を設け、対応するその頂板４、底板１の四端の嵌め込みスロット４１、１１内へ挿入する。またその二側板３は内側に設けたいくつかの調整孔３５１の隔層セット３５に対応し、積載隔板３５２の層分け架設を提供することができ、物品を積載する効用を有する。
【００１２】
当該頂板４は、前後端にそれぞれ内向きに折り曲げて嵌め込みスロット４１を有する板体を指し、且つ後端の嵌め込みスロット４１の下縁を内向きに折り曲げて留め縁４２とし、この留め縁４２は後板２の上縁の留めスロット２２との嵌め合わせを提供することができ、また前端の嵌め込みスロット４１の下縁の両側端部にそれぞれヒンジ孔４３を設け、且つその板体の左右両側の縁を折り曲げて接合部４４とし、また多数の接合孔４５を設けるものを指す。
【００１３】
図１、図２を参照のこと。当該組合せ式事務キャビネットの構造は組立てを行う時、まず両側板３、及び頂板４、底板１を組み合わせる。両側板３の四角端の留め片３４を頂板４、底板１の四端の嵌め込みスロット４１、１１に挿入し嵌め合わせる。また固定部品を利用し、留め片３４を嵌め込みスロット４１、１１を形成する折り曲がった内板縁４１１、１１１と相互に固定し、両側板３は頂板４、底板１と組み合わせて、堅固で中空の四板体キャビネット体を組立て、且つその頂板４と両側板３の留め縁４２、３３はちょうどある平面(図３に示すように)に位置する。次に固定片２４を有する後板２を底板１の固定スロット１３内に挿入し固定し、また後板２を折り曲げた留めスロット２２を頂板４、側板３の留め縁４２、３３と相互に嵌め合わせる。そして別の後板２もまた同じ組立て方式を採用し、そしてその両後板２が連接接合する場所の端は、その留めスロット２２が留め縁２１と互いに対応し嵌め合わされ、またその両後板２の結合縁２３をその底板１の後端の板縁に貼り付ける。そして頂板４、底板１、両側板３と完全な平面を形成する(図４、図５に示すように)。さらに固定部品を利用して、後板２と頂板４、両側板３とを嵌め合わせる場所を固定し、事務キャビネット全体の構造を堅固で事務の収納ができるキャビネット体に形成する(図６を参照のこと)。最後にドアパネル５の上下ヒンジ軸５１を頂板４、底板１のヒンジ孔１２、４３内に可動するように入れ固定し、ドアパネル５を底板１、頂板４の間に設置して、事務キャビネットの扉に軸方向の開閉使用を提供することができる(図７に示すように)。また図８に示すように、その底板１の前端上縁にはガイドスライド装置６を固定設置することができ、その頂板４の前端上縁の相対する位置に、ドアパネル５を置くことができるガイドスロット４６を形成して、そのドアパネル５を前後にずらす方式でそのガイドスライド装置６上に嵌め込む事ができ、その事務キャビネットの扉の水平開閉の使用をさせるものとする。
【００１４】
上記をまとめると、本発明の「組立て式事務キャビネットの構造」は、事務キャビネットが簡単でスピーディに組立て、分解することができ、従来の溶接方式で製作される事務キャビネットが任意に分解組立てできない問題を改善するのに用い、その後板は更に２枚以上の板体から構成され、効果的に板体分解後の体積を減らすことができ、運送に便利で保管スペースの節約を達成する事務キャビネットの構造である。実際に運送に便利で保管スペースの節約を高める事務キャビネットの構造である。
【図面の簡単な説明】
【００１５】
【図１】本発明の立体分解図である。
【図２】本発明の両側板と頂板、底板との組立図である。
【図３】本発明の両側板と頂板の組立断面図である。
【図４】本発明の後板と頂板、底板、側板との組立である。
【図５】本発明の後板と底板、側板の組立断面図である。
【図６】本発明の組立図である。
【図７】本発明のドアパネルを入れた組立図である。
【図８】本発明のもう一つのガイドスライド装置を設けたドアパネルの組立図である。
【図９】周知の外観立体図である。
【符号の説明】
【００１６】
１      底板
１１  嵌め込みスロット
１１１  内板縁
１２  ヒンジ孔  
１３  固定スロット
１４  接合部  
１５  接合孔
２      後板  
２１  留め縁
２２  留めスロット  
２３  結合縁
２４  固定片  
３    両側板
３１  上接合部  
３１１  接合孔
３２  下接合部  
３２１  接合孔
３３  留め縁  
３４  留め片
３５  隔層セット
３５１  調整孔
３５２  積載隔板
４      頂板
４１  嵌め込みスロット
４１１  内板縁
４２  留め縁
４３  ヒンジ孔
４４  接合部
４５  接合孔
４６  ガイドスロット
５    ドアパネル
５１  ヒンジ軸
６    ガイドスライド装置
７    キャビネット体
７１  枠体パネル
【図１】
2008295956.tif 000003
【図２】
2008295956.tif 000004
【図３】
2008295956.tif 000005
【図４】
2008295956.tif 000006
【図５】
2008295956.tif 000007
【図６】
2008295956.tif 000008
【図７】
2008295956.tif 000009
【図８】
2008295956.tif 000010
【図９】
2008295956.tif 000011